(57)【要約】【課題】本考案は、ベースパッド変換可能のマウスを提供する。【解決手段】ハウジングと、少なくとも一つの置換板と、複数のベースパッドと、が含有されるマウスであって、当該置換板は、前記ハウジングの底部に実装され、前記ベースパッドが、それぞれ、前記置換板の両面に設置され、前記置換板の一面にあるベースパッドが磨耗した時、前記置換板を逆転してから、前記ハウジングの底面に実装すると、当該置換板のもう一面にあるベースパッドで使用できるようになり、マウスベースパッドの耐用寿命が向上される。【選択図】図３
0003126216.tif 000002
【実用新案登録請求の範囲】
【請求項１】
ハウジングと、
当該ハウジングの底部に実装される少なくとも一つの置換板と、
それぞれ、前記置換板の両面に設置される複数のベースパッドと、が含有されることを特徴とするベースパッド変換可能のマウス。
【請求項２】
前記ハウジングは、複数のキーが設けられ、前記ハウジングの内部に、少なくとも一つの回路板が設けられ、前記キーが、前記回路板に電気的に接続され、前記回路板上にカーソル制御ユニットが設置され、前記カーソル制御ユニットが前記ハウジングの底部から露出することを特徴とする請求項１に記載のベースパッド変換可能のマウス。
【請求項３】
前記ハウジングの底部に、前記置換板に対応する置換槽が設けられ、前記置換板が前記置換槽に収納されることを特徴とする請求項１に記載のベースパッド変換可能のマウス。
【請求項４】
前記置換板は、一面に対称な位置に二つのベースパッドが設けられ、前記置換板のもう一面に、更に他のベースパッドが設けられることを特徴とする請求項１に記載のベースパッド変換可能のマウス。
【請求項５】
前記置換板の外縁に、前記ハウジングの外縁へ延伸するように係止シートが形成され、前記ハウジングの置換槽の内壁に、前記係止シートに対応する第１の凹槽が設けられ、前記係止シートが前記第１の凹槽内に挿設されることを特徴とする請求項１に記載のベースパッド変換可能のマウス。
【請求項６】
間隔を開けるように、前記置換板から前記係止シートへ伸ばす二つの突出が設置され、前記置換槽の内壁にも、前記二つの突出に対応する第２の凹槽が設けられ、当該二つの突出が、前記第２の凹槽内に挿設されることを特徴とする請求項５に記載のベースパッド変換可能のマウス。
【考案の詳細な説明】
【技術分野】
【０００１】
本考案は、ベースパッド変換可能のマウスに関し、特に、交換のためのベースパッドがあり、ベースパッドの耐用寿命が向上されるマウスに関する。
【背景技術】
【０００２】
「マウス」は、コンピュータを操作する時の不可欠のツールであり、マウスで、気楽にコンピュータを制御でき、また、コンピュータの操作がより容易になり、また、コンピュータのソフトの発展とグラフィカルユーザインターフェースの普及化に伴って、マウスは、各種類のコンピュータに欠かせない入力装置になっている。
【０００３】
従来のマウスは、底部に複数のベースパッドが設けられ、マウスを移動する時、前記ベースパッドの底面が卓面やマウスパッドの表面に接触する。長時間に使用した後、前記ベースパッドが磨耗し、最悪の場合、脱落することもあり、そのため、マウスをスムーズに摺動できず、使用する時、不便である。
【０００４】
本考案者は、上記の問題を改善するため、慎重に研究し、設計が合理的で、有効に上記の問題を改善できる本考案を提案する。
【考案の開示】
【考案が解決しようとする課題】
【０００５】
本考案の主な目的は、両面にベースパッドが設けられる置換板をマウスのハウジングの底部に実装し、前記置換板の一面のベースパッドが磨耗した時、直ちに、もう一面のベースパッドに交換して、持続的に使用できるベースパッド変換可能のマウスを提供する。
【０００６】
本考案の他の目的は、ユーザーの慣習や必要に応じて、マウスと卓面との摩擦力を変化させることのできるベースパッド変換可能のマウスを提供する。
【課題を解決するための手段】
【０００７】
本考案は、上記の目的を達成するために、ハウジングと、前記ハウジングの底部に実装される少なくとも一つの置換板と、それぞれ、前記置換板の両面に設置される複数のベースパッドと、が含有されるベースパッド変換可能のマウスである。
【考案の効果】
【０００８】
本考案は、マウスの使用中のベースパッドが磨耗した時、手早く前記置換板を外して、前記置換板のもう一面に設置されるベースパッドを使用することにより、マウスの正常操作を確保できる効果が得られる。
【考案を実施するための最良の形態】
【０００９】
以下に、図面を参照しながら、実施例を挙げて、本考案の特長や技術内容を詳しく説明するが、それは、参考と説明のためのもので、本考案は、それによって制限されることがない。
【００１０】
図１乃至３を参照しながら、本考案に係わるベースパッド変換可能のマウスは、ハウジング１０とカーソル制御ユニット（図に未表示）、複数のキー２０及び二つの置換板３０が含有される。
【００１１】
前記ハウジング１０は、プラスチック材からなり、中空状であり、その内部に回路板（図に未表示）が設けられ、前記ハウジング１０において、その底部の前後端の位置に、それぞれ前記置換板３０を収納するための半円形状である置換槽１１が設けられる。
【００１２】
前記カーソル制御ユニットは、前記回路板上に設置され、また、前記回路板に電気的に接続され、前記カーソル制御ユニットは、前記ハウジング１０の底部から露出し、マウスのカーソルの移動方向と距離を制御する。
【００１３】
前記キー２０は、前記ハウジング１０上に設置され、前記キー２０が適当に前記回路板に電気的に接続され、前記キー２０を押圧することにより、各メニューの指令とオブジェクトの選択、ダイアログボックスのボタンや選択肢のクリック、上下ページへの移動及び快速メニューの表示等の機能を実行する。また、更に、ウィンドウをスクロールするためのローラー（図に未表示）を設置しても良い。
【００１４】
前記二つの置換板３０は、半円形状の板体であり、各置換板３０の一面において、その両側の適当な位置に、二つの楕円形状の定位槽３１が設けられ、前記二つの定位槽３１が、対称するように設置され、前記二つの定位槽３１に、それぞれ楕円形状の第１のベースパッド３２が固設され、前記第１のベースパッド３２が、前記置換板３０の表面から突出する。
【００１５】
前記置換板３０のもう一面に、同じ方式により、面積がやや大きく、且つ、半円形状である第２のベースパッド３３（図４を参照しながら）が固設され、前記ベースパッド３２、３３は、テフロン（登録商標）やＵＰＥ材から作製され、より良い耐磨耗性を有する。
【００１６】
各置換板３０の外縁に、円弧状壁３４と側壁３６があり、前記側壁３６の両端が、前記円弧状壁３４の両端に連接され、前記円弧状壁３４において、中央から前記ハウジング１０の外縁へ延伸するように係止シート３４１が形成され、前記置換板３０は、前記円弧状壁３４の近くに、更に、長い溝状である円弧状欠け口３５が形成され、前記欠け口３５が、前記係止シート３４１に対応し、前記係止シート３４１は、前記欠け口３５の設置により、弾性的に前後へ移動でき、前記ハウジング１０の置換槽１１の内壁に、前記係止シート３４１に対応する第１の凹槽１１１が設けられ、前記係止シート３４１が、前記第１の凹槽１１１内に挿設される。
【００１７】
間隔を開けるように、前記側壁３６から前記係止シート３４１への方向とは反対側に伸びる二つの突出３６１が設置され、前記置換槽１１の内壁にも、前記二つの突出３６１に対応する第２の凹槽１１２が設けられ、前記二つの突出３６１が、前記第２の凹槽１１２内に挿設される。
【００１８】
前記置換板３０を実装する時、まず、前記二つの突出３６１を斜めに、当該二つの第２の凹槽１１２に挿入する。挿入部分を支点として前記置換板３０を回転させると、前記置換板３０が前記ハウジング１０の底部に蓋をするようになり、前記係止シート３４１の弾性により、前記置換板３０が、まず、変形することにより、前記置換槽１１内に入り、また、回復力により、前記係止シート３４１が前記第１の凹槽１１１内に挿設され、そのため、前記置換板３０が前記ハウジング１０の底部に実装される。
【００１９】
本考案に係わるベースパッド変換可能のマウスは、その底部に、両面がベースパッドを有する置換板３０が実装されるため、マウスが、長期に使用された後、ベースパッドが磨耗して使えなくなる時、前記置換板３０を外して、そして、その表裏を逆転して、再び、前記マウスに実装すると、置換板３０のもう一面のベースパッドで、マウスを利用でき、また、異なる面積を有するベースパッド（例えば、前記第１のベースパッド３２と第２のベースパッド３３）により、ユーザーが、慣習や必要に応じて、マウスと卓面との間の摩擦力を変更でき、また、ベースパッドの耐用寿命が向上され、確実に従来技術の問題を解決できる。
【００２０】
以上は、ただ、本考案のより良い実施の形態であり、本考案は、それによって、制限されず、本考案に係わる実用新案登録請求の範囲や明細書の内容に従って行う等価の変更や修正は、その全てが、本考案の実用新案登録請求の範囲内に含まれる。
【図面の簡単な説明】
【００２１】
【図１】本考案に係わるベースパッド変換可能のマウスの立体図である。
【図２】本考案に係わるベースパッド変換可能のマウスの他の立体図である。
【図３】本考案に係わるベースパッド変換可能のマウスの立体分解図である。
【図４】本考案に係わる置換板のもう一つの角度の立体図である。
【符号の説明】
【００２２】
１０  ハウジング
１１  置換槽
１１１  第１の凹槽
１１２  第２の凹槽
２０  キー
３０  置換板
３１  定位槽
３２  第１のベースパッド
３３  第２のベースパッド
３４  円弧状壁
３４１  係止シート
３５  欠け口
３６  側壁
３６１  突出
【図１】
0003126216.tif 000003
【図２】
0003126216.tif 000004
【図３】
0003126216.tif 000005
【図４】
0003126216.tif 000006